(57)【要約】【課題】操作しやすく、組み立てが容易で、ランバーサポートの位置調節の確実性に優れた椅子の提供。【解決手段】座者が座る座部２と、クッション部４２、両側縁部に開口部４１ａが形成された背凭れ本体４１、並びにクッション部４２の後方、及び背凭れ本体４１の前方の間に挟まれたランバーサポート１００を有して座者の背部を支持する背凭れ部４０とを有し、ランバーサポート１００は、板形状をなす本体部１０１と、左右方向において本体部１０１と略平行をなし、略上下方向に移動可能に開口部４１ａに遊嵌されると共に、少なくとも一部が開口部４１ａから突出する把持部１０２と、本体部１０１の下方に把持部１０２が位置するように本体部１０１の両端部と把持部１０２とを連結する連結部１０３とを有する椅子である。【選択図】図２
2008119217.tif 000002
【特許請求の範囲】
【請求項１】
座者が座る座部と、クッション部、両側縁部に開口部が形成された背凭れ本体、並びに前記クッション部の後方、及び背凭れ本体の前方の間に挟まれたランバーサポートを有して座者の背部を支持する背凭れ部とを有し、
前記ランバーサポートは、板形状をなす本体部と、左右方向において前記本体部と略平行をなし、略上下方向に移動可能に前記開口部に遊嵌されると共に、少なくとも一部が前記開口部から突出する把持部と、前記本体部の下方に前記把持部が位置するように前記本体部の両端部と前記把持部とを連結する連結部とを有することを特徴とする椅子。
【請求項２】
開口部が、背凭れ本体の両側縁部の下方に形成された請求項１に記載の椅子。
【請求項３】
把持部における開口部から突出した側の端部に、突起部が形成された請求項１から２のいずれかに記載の椅子。
【発明の詳細な説明】
【技術分野】
【０００１】
本発明は、移動可能なランバーサポートを背凭れ部に備えた椅子に関する。
【背景技術】
【０００２】
従来より、長時間の作業に供する事務用椅子や、座部とシンクロして背凭れが傾動するロッキングチェア、自動車の座席等においては、座者の腰部等を押圧して、着座時の座者の腰部の負担を軽減するランバーサポート及びそれを備えた椅子が知られている（特許文献１〜２参照）。
【０００３】
特許文献１には、クッション体の前面に、間隙を設けて外皮材を張設し、該外皮材の左右側縁の下部に、上下方向に長い切り欠き部が設けられ、前記間隙に挿入したランバーサポートの左右の側端部を前記切り欠き部で露出させた構成をなす椅子が開示されている。
また、特許文献２には、弾性変形可能な材料により形成され、平面視において、左右の側部が中央部よりも前方となるように、また、側面視において、上下部が上下方向の中央部よりも後方になるように、湾曲させてあり、上下幅を、中央部においては大とし、両側部へ向かうにしたがって小となる構成をなす椅子が開示されている。
【０００４】
しかしながら、特許文献１に記載の椅子においては、可撓性が高い表皮材をガイドにしてランバーサポートを上下方向に移動させているので、該ランバーサポートをスムーズに移動させることができず、使い勝手がよくなかった。
また、特許文献２に記載の椅子におけるランバーサポートの形状が、正面視で左右方向に直線形状をなしているため、座者が座部に着座した状態で操作するには操作部分（ランバーサポートの両端部）が高すぎ、操作しづらいという問題があった。
更に、特許文献１に記載の椅子におけるランバーサポートは、表皮材を挟む形状をなしているため、組み立てが煩雑であった。
したがって、操作しやすく、組み立てが容易で、ランバーサポートの位置調節の確実性に優れた椅子は未だ実現されておらず、その提供が望まれているのが現状である。
【０００５】
【特許文献１】特許３６１６９７７号公報
【特許文献２】特許３６２２１２９号公報
【発明の開示】
【発明が解決しようとする課題】
【０００６】
本発明は、従来における諸問題を解決し、以下の目的を達成することを課題とする。即ち、本発明は、操作しやすく、組み立てが容易で、ランバーサポートの位置調節の確実性に優れた椅子を提供することを目的とする。
【課題を解決するための手段】
【０００７】
前記課題を解決するための手段としては、以下の通りである。即ち、
＜１＞  座者が座る座部と、クッション部、両側縁部に開口部が形成された背凭れ本体、並びに前記クッション部の後方、及び背凭れ本体の前方の間に挟まれたランバーサポートを有して座者の背部を支持する背凭れ部とを有し、
前記ランバーサポートは、板形状をなす本体部と、左右方向において前記本体部と略平行をなし、略上下方向に移動可能に前記開口部に遊嵌されると共に、少なくとも一部が前記開口部から突出する把持部と、前記本体部の下方に前記把持部が位置するように前記本体部の両端部と前記把持部とを連結する連結部とを有することを特徴とする椅子である。
該＜１＞に記載の椅子においては、ランバーサポートを構成する把持部が、背凭れ本体の両側縁部に形成された開口部に遊嵌され、上下方向に移動可能としたので、ランバーサポートをスムーズに移動させることができる。
また、座者と、ランバーサポートとの間に、クッション部を介在させているため、広い面積で、かつなだらかな形状をなす当接面が形成され、座者の腰部に対して必要最小限の力で広範囲に押圧することができる。したがって、ランバーサポートによる押圧力が強すぎるといった不快感が軽減され、多くの座者にとって適用性の高い椅子を提供することができる。
また、ランバーサポートの形状が、座者の腰部を押圧する本体部と、該本体部よりも下方に位置する把持部と、前記本体部、及び把持部を連結する連結部とによって構成されるため、当該ランバーサポートを操作する座者は、腕を下げた状態から適切な位置まで無理なくランバーサポートの本体部を移動させることができ、従来のように、肘を曲げたままランバーサポートの位置を調節するといった窮屈な操作を座者が強いられることなく、操作性が向上する。
＜２＞  開口部が、背凭れ本体の両側縁部の下方に形成された前記＜１＞に記載の椅子である。
＜３＞  把持部における開口部から突出した側の端部に、突起部が形成された前記＜１＞から＜２＞のいずれかに記載の椅子である。
【発明の効果】
【０００８】
本発明によると、従来における諸問題を解決することができ、操作しやすく、組み立てが容易で、ランバーサポートの位置調節の確実性に優れた椅子を提供することができる。
【発明を実施するための最良の形態】
【０００９】
以下、本発明に係る椅子の一実施形態について、図面を参照して説明する。
図１は、本実施形態における椅子の構成を示す分解斜視図である。
図１に示すように、本実施形態の椅子１は、下端部に脚１２が接続された脚柱１１の上端部に、座板取付け部１０が設けられている。
また、座板取付け部１０の上部には、座者が座る座クッション２１を載置した座板２０が設置され、座板取付け部１０の後方には、座者の背部を支持する背凭れ４０を支持する背凭れ支持部材３０、及び支持フレーム３１が接続されている。上記座板取付け部１０と、座板２０と、座クッション２１とが座部２を構成する。
ここで、背凭れ４０は、ランバーサポート１００が設置された背凭れ本体４１と、クッション部４２と、背凭れカバー４３とから構成され、支持フレーム３１は、背凭れ本体４１の背面に接合されている。
【００１０】
本実施形態の椅子においては、背凭れ部４０の背面の上端部近傍に、略上下方向に調節可能な可動式のヘッドレスト機構５０が接続されてもよい。
ヘッドレスト機構５０は、背凭れ部４０の背面の上端部近傍に接続され、略上下方向に貫通する貫通孔が形成されたヘッドレスト接続部５２と、前記貫通孔に嵌挿される長板形状のヘッドレスト支持部材５３と、ヘッドレスト支持部材５３の前方に位置するように、該ヘッドレスト支持部材５３の上端部に接続され、座者の頭部を支持するヘッドレスト５１とを有してなる。
なお、ヘッドレスト支持部材５３の少なくとも１つの側面には、鋸歯形状をなす係合部が形成され、該係合部に係合する係止部が、ヘッドレスト接続部５２の貫通孔の内壁に形成されている。この係止部の形状としては、板ばねなどが挙げられ、前記貫通孔に対してヘッドレスト支持部材５３が略上下方向に摺動し、前記係合部と係止部との係合によって任意の位置で固定して、ヘッドレスト５１の高さを調節することができるようになっている。
また、ヘッドレスト支持部材５３には、その後方に位置するように、ハンガー５４が設置されてもよい。
【００１１】
図２は、本実施形態における椅子の背凭れ本体の構成を示す分解斜視図である。
背凭れ本体４１は、前面側に全体的に凸となるように、側面視で湾曲した形状をなすと共に、後面側に全体的に凸となるように上面視で湾曲した形状をなしている。
背凭れ本体４１は、後述するランバーサポート１００、及びクッション部４２を前面側に保持できるように、強度補強のためのリブ（隔壁部）が形成された前面部の周縁に沿って周壁部４１ａが立設されており、該周壁部４１ａの両側面部下方には、それぞれ開口部４１ｂ，４１ｂが形成されている。この開口部４１ｂは、周壁部４１ａの外側面と、内側面とを貫通する形状をなしている。
なお、図２では、背凭れ本体４１の強度補強のためのリブを図示したが、本実施形態の説明の都合上、当該リブの図示を省略することがある。
開口部４１ｂには、略矩形をなす貫通孔４４ａが形成された開口部カバー４４が嵌合され、該貫通孔４４ａの長手方向が、略上下方向となるように、開口部４１ｂに嵌合される。
また、本実施形態では、背凭れ本体４１の周壁部４１ａの両側面部に開口部４１ｂを形成し、該開口部４１ｂに開口部カバー４４を嵌合させた構成を示したが、開口部４１ｂ、及び開口部カバー４４の態様は、把持部１０２の動きを制限する貫通孔が形成されれば、特に制限はなく、目的に応じて適宜選択され、例えば、開口部４１ｂが把持部１０２の動きを制限する貫通孔自体をなす態様や、開口部４１ｂが切り欠き形状をなし、開口部カバー４４が開口部４１ｂの切り欠き形状に嵌合する形状をなす態様でもよい。更に、開口部カバー４４の形状としては、貫通孔４４ａの強度を損なわない形状であれば、特に制限はなく、目的に応じて適宜選択される。
更に、本発明の椅子１の背凭れ本体４１の前面側には、該前面に形成されたリブ（隔壁部）の一部として、左右方向に架設された梁部４１ｃ，４１ｄが上下方向に一対設けられている。
開口部４１ｂより上部に設けられた梁部４１ｃと、開口部４１ｂより下部に設けられた梁部４１ｄには、押さえ布４５がランバーサポート１００を前面側において覆うように張架される。
この押さえ布４５がランバーサポート１００を前面側において覆うように設けられることによって、押さえ布４５が、ランバーサポート１００と、クッション部４２との間に介在することとなり、ランバーサポート１００が上下方向に移動することによるクッション部４２の磨耗を防ぐことができる。
なお、本実施形態においては、押さえ布４５を背凭れ本体４１に設置する態様を示したが、ランバーサポート１００が上下方向に移動することによるクッション部４２の磨耗を防ぐことができれば、押さえ布４５の設置位置に特に制限はなく、目的に応じて適宜選択され、例えば、クッション部４２の後側（背凭れ本体４１に対向する側）に位置するように、クッション部４２や背凭れカバー４３に取り付けられる態様が挙げられる。
また、押さえ布４５の材料は、ランバーサポート１００が上下方向に移動することによるクッション部４２の磨耗を防ぐことができれば、特に制限はなく、目的に応じて適宜選択され、例えば、布、不織布、皮革等が挙げられる。
【００１２】
一方、背凭れ本体４１の前面側には、ランバーサポート１００が設置される。このランバーサポート１００は、本体部１０１と、該本体部１０１の両端部に連結部１０３を介して接続された把持部１０２とを有する。
把持部１０２は、開口部４１ｂ、特に、開口部４１ｂに嵌合された開口部カバー４４の貫通孔４４ａに遊嵌されると共に、各把持部１０２の先端を含む一部は、開口部４１ｂ（貫通孔４４ａ）から突出している。
また、各把持部１０２の先端部には、座者が把持部１０２を操作する際に、確実に把持部１０２を操作し易いように把持部カバー１０４が設けられる。
なお、把持部１０２の断面形状は、貫通孔４４ａの形状よりもやや小さいことが好ましい。把持部１０２の断面形状が、貫通孔４４ａの形状より大きいと、把持部１０２（ランバーサポート１００）のスムーズな動作が損なわれ、把持部１０２の断面形状が、貫通孔４４ａの形状よりも小さすぎると、把持部１０２（ランバーサポート１００）が、貫通孔４４ａによって制限された領域を超えてがたつき、共に湾曲形状をなしている背凭れ本体４１に対して引っ掛かりが生じ易くなり、確実な動作が損なわれることがある。
また、把持部１０２の端部に取り付けられる把持部カバー１０４の取付け面（把持部１０２に把持部カバー１０４を取り付ける際に、把持部１０２の端面に対向する面）の断面は、開口部４２に遊嵌される把持部１０２の断面よりも大きく設定される。
このように設定することによって、開口部４２と、把持部カバー４２ａの取付け面とが当接し、把持部カバー１０４を両端部に設置したランバーサポート１００は、左右方向の動きが制限されるので、把持部１０２（ランバーサポート１００）は、略上下方向にスムーズに動作される。
【００１３】
図３Ａ〜Ｃは、本実施形態の椅子におけるランバーサポートの構造を示す図であり、図３Ａは、前記ランバーサポートの正面図、図３Ｂは、前記ランバーサポートの上面図、図３Ｃは、図３ＡにおけるＡ−Ａ断面図である。
図３Ａに示すように、本実施形態の椅子におけるランバーサポート１００は、板形状をなす本体部１０１と、該本体部１０１の長手方向（図中左右方向）と略平行の板形状をなす把持部１０２と、本体部１０１の下方に把持部１０２が位置するように、本体部１０１の両端部と、把持部１０２とを連結する連結部１０３とを有する。
連結部１０３は、本体部１０１の両端部と、把持部１０２において、把持部カバー４２ａ（図２参照）が取り付けられる一の端部とは反対側の他の端部とを連結し、把持部１０２におけるそれぞれの一の端部は、対向することなく、各々反対方向に向けて設けられている。
即ち、本体部１０１の両端部に連結された連結部１０３、及び把持部１０２は、本体部１０１の両端部から下方に屈曲して外側（互いに離間する方向側）に延設された態様をなす。
【００１４】
また、図３Ｂに示すように、本体部１０１は、上面視において後方に凸形状をなすように、所定の曲率で湾曲している。
一方、把持部１０２，１０２は、それらの前面が仮想面に当接するように位置して連結部１０３を介して本体部１０１に連結されている。
ここで、上面視において、把持部１０２，１０２の各前面と、本体部１０１の両端部分の前面が向く方向には所定の角度差があるが、この角度差は、連結部１０３（図３Ａ参照）の形状によって調整されており、該連結部１０３が適度な可撓性を有することによって、ランバーサポート１００を移動させる際に動きが制限される本体部１０１と、把持部１０２，１０２との間に生じる歪みを吸収することができる。
【００１５】
更に、図３Ｃに示すように、ランバーサポート１００は、その断面視において、本体部１０１が前方にやや張り出す形状をなし、連結部１０３が前方に凸形状をなすように湾曲する形状をなし、把持部１０２は、連結部１０３の前方端面側に接続されている。
【００１６】
ここで、背凭れ本体部４１の側面視における形状は、単一の曲率で構成されてはおらず、人間工学に基づいた湾曲形状をなしている。
背凭れ本体４１と、クッション部４２とに挟まれたランバーサポート１００が略上下移動するときには、開口部４１ａの形状（具体的には開口部カバー４４の貫通孔４４ａの形状）が前記湾曲形状と異なることから、背凭れ本体部４１に対して前後に浮き沈みすることとなる。
また、ランバーサポート１００は、クッション部４２によって前方側から押さえつけられていることから、スムーズに動きにくくなる。
したがって、本体部１０１と把持部１０２とが一直線上に構成された従来のランバーサポートの構成に比して、ランバーサポート１００が略上下に移動される際のひっかかり、及びクッション部４２による押圧を吸収する吸収部材として連結部１０２が機能することとなるので、ランバーサポート１００をスムーズに移動させることが可能となる。
【００１７】
図４は、本実施形態の椅子におけるランバーサポートを設置した背凭れ本体の構成を示す背面図である。
図４に示すように、ランバーサポート１００を設置した背凭れ本体４１においては、本体部１０１の両端部に対して、下方に把持部１０２が位置するように、かつ該把持部１０２の他方の端部に連結部１０３が連結されたことにより、２つの把持部１０２、及び連結部１０３が、外側に屈曲するようにして本体部１０１の両端部に連結された態様をなす。
そして、それぞれの把持部１０２が、開口部カバー４４に形成された貫通孔４４ａに遊嵌されると共に、ランバーサポート１００の左右方向の動きを制限するために、各把持部１０２の一方の端部に把持部カバー１０４が取り付けられているので、貫通孔４４ａの形状に沿って把持部１０２（ランバーサポート１００）が移動可能となっている。
ここで、開口部カバー４４には、開口部４１ａに嵌合するにあたり、開口部４１ａの内壁部に係止する係止部材４４ｂが貫通孔４４ａの内側端部に設けられている。
また、把持部カバー１０４が把持部１０２の両端部に取り付けられたランバーサポート１００において、各把持部カバー１０４の対向面（前記取付け面）の間の距離が、背凭れ本体４１の開口部４１ｂに取り付けられた開口部カバー４４の貫通孔４２の外側面４４ｃの間の距離よりもやや長く設定されることにより、把持部１０２（ランバーサポート１００）がスムーズに動作される。
また、把持部カバー１０４の背面側上部には、座者が座部に着座したときに、把持部カバー１０４を容易に認識し、摘むきっかけが得易いように、かつ把持部カバー１０４を確実に摘むことができるように、突起部１０４ａが形成されていることが好ましい。
更に、把持部１０２の先端部分には、把持部カバー１０４の取付け面に形成された開口部（図示せず）に圧入し、係合可能な爪形状が形成されている。
このように、本発明の椅子に備えられたランバーサポート１００の形状が、座者の腰部を押圧する本体部１０１と、該本体部１０１の下方に位置するように連結部１０３によって本体部１０１の両端部に連結された把持部１０２とによって、座者は楽に把持部１０２、即ち、ランバーサポート１００を略上下方向に移動させることができる。
【００１８】
図５は、本実施形態の椅子において、ランバーサポートを設置した背凭れの構成を示す断面図である。
図５に示すように、本実施形態の椅子における背凭れ４０は、略上下方向（開口部カバー４４に形成された貫通孔４４ａの長孔方向）に移動可能なランバーサポート１００を備えた背凭れ本体４１の前面側に、前述の周壁部４１ａに嵌められるようにしてクッション部４２が設置されている。そして、前面側にクッション部４２を保持した背凭れ本体４１を、背凭れカバー４３が覆う構成となっている。
このように、略上下方向に移動可能とされたランバーサポート１００の前面にクッション部４２を設けたことにより、座者の腰部に対して必要最小限の力で広範囲に押圧することができ、結果として、ランバーサポートによる押圧力が強すぎるといった不快感が軽減され、多くの座者にとって適用性の高い椅子を提供することができる。
【００１９】
図６Ａ〜Ｃは、本実施形態の椅子において、背凭れ部を組み立てるプロセスを示す図である。
図６Ａに示すように、背凭れカバー４３は、背凭れ本体４１と、該背凭れ本体４１の前面に当接されたクッション部４２とを覆うように構成されており、背凭れ本体４１と、支持フレーム３１との接合を妨げないために背面側、及び下方が開口した袋形状をなす。
該下方の端部には、前側端部と後側端部とを接合するための接合手段が設けられている。この接合手段は、背凭れカバー４３の下方を閉塞可能であれば、目的に応じて適宜選択することができ、例えば、面ファスナー４３ｃ，４３ｄなどが採用されることが好ましい。
また、背凭れカバー４３によって背凭れ本体４１を覆った際に、背凭れ本体４１の両側面部に設けられた開口部４１ｂから突出した把持部１０２（把持部カバー１０４）を背凭れカバー４３の外側に露出させるために、背凭れカバー４３の両側面において、背凭れ本体４１を収容したときに該当する箇所に開口部４３ａが形成されている。
なお、この開口部４３ａの前端部、及び後端部にはそれぞれ所定の大きさの補強片４３ｂ，４３ｂが取り付けられている。
背凭れカバー４３の素材としては、特に制限はなく、目的に応じて適宜変更できるが、例えば、布素材などが好ましい。
【００２０】
その後、周壁部４１ａに嵌められるようにしてクッション部４２を前面側に設置した背凭れ本体４１が、背凭れカバー４３の下方の開口部から挿入され、当該背凭れ本体４１が背凭れカバー４３によって覆われると、図６Ｂに示すように、開口部４３ａから把持部１０２が突出され、補強片４３ｂは、背凭れ本体４１の開口部４１ａの内側縁部にステープラなどによって固定される。このようにすることによって、背凭れカバー４３の開口部４３ａにおける美観が損なわれるだけでなく、座者が背凭れに凭れた際の背凭れにおける背凭れカバー４３のずれを最小限に留めることができる。
そして次に、背凭れカバー４３の下方の開口部を、面ファスナー４３ｃ，４３ｃによって閉塞することによって、背凭れ本体４１、及びクッション部４２が背凭れカバー４３に包装されたことになる。
【００２１】
次に、図６Ｃに示すように、内側縁部に補強片４３ｂが固定された開口部４１ａに該補強片４３ｂを挟むようにして、開口部カバー４４を嵌合させる。このとき、前述したように、貫通孔４４ａの内側端部に設けられた係止部材４４ｂが、開口部４１ａの内壁部に係止することによって、開口部カバー４４が開口部４１ａに嵌合される。
更に、開口部カバー４４が開口部４１ａに嵌合された後は、把持部１０２の端部に把持部カバー１０４が取り付けられて、本発明の背凭れ部４０の組み立てが完了する。
【００２２】
以上説明したように、本発明の椅子は、従来のように、ランバーサポート１００の本体部１０１に接続された把持部１０２が、本体部１０１の両端部から左右方向に延設されているのとは異なり、把持部１０２を本体部１０１の下方に位置するように屈曲した形態をなしているので、座者は、肘を曲げたままランバーサポート１００の位置を調節するといった窮屈な操作を強いられることがなく、着座状態において両腕を下げた状態から無理なく把持部１０２を摘むことができ、操作がし易くなる。
また、本発明の椅子は、把持部１０２が本体部１０１の下方に位置するように屈曲した形態をなすランバーサポート１００を、背凭れ本体４１に形成された開口部４１に遊嵌させて、ランバーサポート１００の左右方向の動きを制限するための把持部カバー１０４を把持部１０２に嵌入させることにより簡単に組み立てることができる。
更に、背凭れ本体４１の側面視形状は、単一の曲率で構成されていないので、ランバーサポート１００を略上下方向に移動させたときに、前後方向に浮き沈みし、クッション部４２により前方から押され、ランバーサポート１００のスムーズな移動が妨げられるが、連結部１０３が撓むことによってランバーサポート１００の変型が緩和され、ランバーサポート１００をスムーズに移動させるためのガイドなどを設けなくとも、ランバーサポート１００の位置調節がスムーズかつ確実に行われる。
【産業上の利用可能性】
【００２３】
本発明の椅子は、操作しやすく、組み立てが容易で、ランバーサポートの位置を確実に調節できるため、サイドチェア、ロッキングチェア、リクライニングチェアなど、各種の椅子に好適に用いることができる。
【図面の簡単な説明】
【００２４】
【図１】図１は、本発明に係る椅子の一実施形態における構成を示す分解斜視図である。
【図２】図２は、本発明に係る椅子の一実施形態における背凭れ部の構成を示す分解斜視図である。
【図３Ａ】図３Ａは、本発明に係る椅子の一実施形態におけるランバーサポートの構造を示す正面図である。
【図３Ｂ】図３Ｂは、本発明に係る椅子の一実施形態におけるランバーサポートの構造を示す上面図である。
【図３Ｃ】図３Ｃは、本発明に係る椅子の一実施形態におけるランバーサポートの構造を示す断面図である。
【図４】図４は、本発明に係る椅子の一実施形態において、ランバーサポートを設置した背凭れ本体の構成を示す背面図である。
【図５】図５は、本発明に係る椅子の一実施形態において、ランバーサポートを設置した背凭れの構成を示す側面図である。
【図６Ａ】図６Ａは、本発明に係る椅子の一実施形態において、背凭れ部を組み立てるプロセスを示す図である。
【図６Ｂ】図６Ｂは、本発明に係る椅子の一実施形態において、背凭れ部を組み立てるプロセスを示す図である。
【図６Ｃ】図６Ｃは、本発明に係る椅子の一実施形態において、背凭れ部を組み立てるプロセスを示す図である。
【符号の説明】
【００２５】
１      椅子
２      座部
１０      座板受け部材
１１      脚柱
１２      脚
２０      座板
２１      座
３０      背凭れ取付け部材
３１      背フレーム
４０      背凭れ
４１      背凭れ本体
４１ａ      開口部
４２      クッション材
４３      背凭れカバー
４４      開口部カバー
５０      ヘッドレスト機構
１００      ランバーサポート
１０１      本体部
１０２      把持部
１０３      連結部
１０４      把持部カバー
１０４ａ      突起
【図１】
2008119217.tif 000003
【図２】
2008119217.tif 000004
【図３Ａ】
2008119217.tif 000005
【図３Ｂ】
2008119217.tif 000006
【図３Ｃ】
2008119217.tif 000007
【図４】
2008119217.tif 000008
【図５】
2008119217.tif 000009
【図６Ａ】
2008119217.tif 000010
【図６Ｂ】
2008119217.tif 000011
【図６Ｃ】
2008119217.tif 000012